(57)【特許請求の範囲】
【請求項１】
１枚の金属板を折り曲げ該金属板の両端部を合わせて筒状に形成した閉鎖環を備え、該閉鎖環が両端に電線を挿通する開放端部を有すると共に、前記両端部を合わせた合わせ部分の両側に、前記開放端部を通過する前記閉鎖環の軸線に沿って内側に突出する対向する凹みを有し、前記閉鎖環が、前記合わせ部分と該合わせ部分に対向する壁面との間に延びるスロットをさらに有し、前記合わせ部分と前記壁面とを互いに接近するように前記閉鎖環を押圧することにより前記凹みを変形させ、前記開放端部の少なくとも１つから挿入された前記電線および該電線と交差するよう前記スロットに挿通された他の電線を接触させて互いに電気的に接続することを可能とするよう構成されてなる電線接続子において、
前記スロットが前記閉鎖環の対向する位置に対向して形成され、各前記スロットが、前記他の電線を挿通する幅広部と、前記他の電線の直径より小さいほぼ一定の幅を有し前記凹みが変形したとき前記他の電線が位置する狭幅部と、前記幅広部と前記狭幅部との間で徐々に幅を変え、前記凹みの変形中に前記他の電線が通過する過渡部とを有することを特徴とする電線接続子。
【請求項２】
前記合わせ部分が前記両端部を重ね合わせて形成され、前記合わせ部分と該合わせ部分に対向する前記壁面とが互いに平行な平面に形成されてなることを特徴とする請求項１記載の電線接続子。
【請求項３】
前記合わせ部分に対向する前記壁面に、前記合わせ部分に向かって突出するとともに互いに離間する少なくとも１対のビードが形成されてなることを特徴とする請求項１又は２記載の電線接続子。
【請求項４】
前記合わせ部分に対向する前記壁面が延長されて前記開放端部から突出する延長部を有することを特徴とする請求項１から３のうちいずれか１項記載の電線接続子。
【発明の詳細な説明】
【０００１】
【発明の属する技術分野】
本発明は電線同士を接続する電線接続子に関するものである。
【０００２】
【従来の技術】
従来、電線同士を接続するための種々の方式があり、それらは、電線の外被を切り裂いて電線の心線と端子を電気的に接続する圧接端子や、電線の心線を端子の塑性変形により固着すると共に電気的に接続する圧着端子等を利用したものが知られている。例えば、特開平１１−２６０３８号公報には、圧接端子を用いた電線同士の接続構造が開示されている。この圧接端子は、四角筒形状に折り曲げられた基部と、この基部の四辺の上下面より一体に突設された圧接板部を有する。圧接板部には、この圧接板部の先端面から切り込んだ複数の圧接刃が形成されている。複数の電線は、これらの圧接刃に圧入され、絶縁外被が切り裂かれて心線が圧接板部に接触する。即ち、複数の電線が圧接端子に圧接接続されて、圧接端子を介して電線同士の電気的接続がなされるように構成されている。
【０００３】
また、圧着接続の場合は、環状の電気端子の両端の開放端部に、例えば両側の開放端部から電線を挿通し、この端子を外部から押しつぶし即ち圧着して、挿入された電線同士を固着して保持すると共に電気的に相互に接続することが一般的に行われている。この接続方式は平行接続（パラレルスプライス）として、よく知られているものである。
【０００４】
【特許文献１】
特開平１１−２６０３８号公報（第３−４頁、図１、図３）
【０００５】
【発明が解決しようとする課題】
近年、ノート型パソコン等の小型の電子機器に、薄型の液晶の表示装置（ディスプレイ）が用いられている。この表示装置には、液晶表示板の背面から表示面を照明する細長い蛍光管（バックライト）が内蔵されている。この蛍光管の端部には電線（ジュメット線）が突出しており、電子機器の本体から延びる電線は、端子を介してこれらのジュメット線に接続されている。液晶表示板周囲の空間は、極めて狭いため小型の端子が要求されている。前述の従来技術の圧接端子は、そのサイズが大きいため限られたスペース内に配置することは困難である。圧接端子を小型化した場合には、圧接板の板幅が小さくなるため被覆を切り裂いて圧接するのに十分な強度が得られず、また、圧接接続した電線を長期間安定的に圧接板に保持することが難しいという問題がある。
【０００６】
また、後者の圧着端子においては、十分な強度が得られるものの圧着に大きな荷重を必要とする。その結果、端子圧着時に衝撃が発生して、被圧着部材である電線（ジュメット線）から蛍光管にその衝撃が伝わり蛍光管が破損することがある。
【０００７】
本発明は、以上の点に鑑みてなされたものであり、結線スペースが小さく、小型であっても十分な接続強度が得られ、電線接続時に被接続電線に与える衝撃荷重が小さい電線接続子を提供することを目的とする。
【０００８】
さらに、本発明の目的は、電気的接続の信頼性の高い電線接続子を提供することにある。
【０００９】
【課題を解決するための手段】
本発明の電線接続子は、１枚の金属板を折り曲げ、この金属板の両端部を合わせて筒状に形成した閉鎖環を備え、閉鎖環が両端に電線を挿通する開放端部を有すると共に、両端部を合わせた合わせ部分の両側に、開放端部を通過する閉鎖環の軸線に沿って内側に突出する対向する凹みを有し、閉鎖環が、合わせ部分と合わせ部分に対向する壁面との間に延びるスロットをさらに有し、合わせ部分と壁面とを互いに接近するように閉鎖環を押圧することにより凹みを変形させ、開放端部の少なくとも１つから挿入された電線および電線と交差するようスロットに挿通された他の電線を接触させて互いに電気的に接続することを可能とするよう構成されてなる電線接続子において、スロットが閉鎖環の対向する位置に対向して形成され、各スロットが、他の電線を挿通する幅広部と、他の電線の直径より小さいほぼ一定の幅を有し凹みが変形したとき他の電線が位置する狭幅部と、幅広部と狭幅部との間で徐々に幅を変え、凹みの変形中に他の電線が通過する過渡部とを有することを特徴とするものである。
【００１２】
また、合わせ部分が両端部を重ね合わせて形成され、合わせ部分と合わせ部分に対向する壁面とが互いに平行な平面に形成することが好ましい。
【００１３】
本発明の１つの実施態様によれば、合わせ部分に対向する壁面に、合わせ部分に向かって突出するとともに互いに離間する少なくとも１対のビードが形成されてもよい。
【００１４】
また、本発明の他の実施態様によれば、合わせ部分に対向する壁面が延長されて開放端部から突出する延長部を有するよう構成することができる。この延長部は、合わせ部分に対向する壁面に対応する幅を有するとともに、さらに、各側壁に沿った湾曲部を有することが好ましい。
【００１５】
ここでいう「電線」とは、柔軟性のある単線およびこれらの単線を複数本撚り合わせた撚線の他、比較的硬質のジュメット線の如き単線も含むものとする。
【００１６】
【発明の効果】
本発明の電線接続子は、１枚の金属板を折り曲げて筒状に形成した閉鎖環の、両端部を合わせた合わせ部分の両側に内側に突出する凹みを有し、合わせ部分と合わせ部分に対向する壁面とを互いに接近するように押圧することにより凹みが変形して、閉鎖環の両側の開放端部から挿入された複数の電線同士を接触させて互いに電気的に接続することを可能とするよう構成されているので次の効果を奏する。
【００１７】
即ち、閉鎖環を圧着して電線同士を固着するので、小型で結線スペースが小さく、且つ十分な接続強度を有する電線接続子が得られる。また、閉鎖環に凹みが形成されていることにより、プライヤ、手動プレス等の手動工具を用いて、比較的小さい力で凹みを変形させて電線同士を圧着できるので、電線接続時に被接続電線に与える衝撃荷重が小さく、被接続電線を介して衝撃荷重が伝わる部材を破損する虞が少ない。さらに、従来の圧着接続よりも広い電線径範囲の電線同士を相互接続できる。
【００１８】
また、閉鎖環がスロットをさらに有し、合わせ部分と合わせ部分に対向する壁面とを互いに接近するように押圧することにより凹みが変形して、開放端部の少なくとも１つから挿入された電線とスロットに挿通された他の電線を接触させて互いに電気的に接続するよう構成した場合には、前述の効果の他、電線をパラレルスプライスすることも、電線同士を小さな結線スペースで十字形に接続することもできるとともに、従来の圧接接続よりも大きな接触面積が得られるという効果を奏する。
【００１９】
さらに、スロットが対向して形成され、各スロットが他の電線を挿通する幅広部と、狭幅部と、幅広部と狭幅部との間で徐々に幅を変える過渡部とを有するよう構成した場合は、スロットに挿入した電線を狭幅部に誘導して確実に接続することができる。
【００２０】
また、合わせ部分を重ね合わせると共に、合わせ部分と合わせ部分に対向する壁面とが互いに平行な平面である場合には、簡単な手動工具でも正確に凹みを潰して電線同士を確実に接続することができるとともに、圧縮後の接続子の機械的強度が高く変形しにくい。
【００２１】
また、合わせ部分に対向する壁面に、合わせ部分に向かって突出するとともに互いに離間する少なくとも１対のビードが形成されている場合は、複数の心線からなる被覆電線を接続するときに、心線が対となったビードにより、ビードの外側にばらけないように規制される、即ち電線接続子の中央に寄せられるので、電線接続時に心線の密着性がよくなり、電気的接続の信頼性が向上する。さらに、電線接続時にビードが一部の心線に食い込むことが可能になり、電気的接続の信頼性が向上する。
【００２２】
また、合わせ部分に対向する壁面が延長されて開放端部から突出する延長部を有するよう構成されている場合は、電線の接続作業時に、心線を上方から一旦延長部に当てて載置した後、そのまま開放端部に挿入することができるので、心線の挿入作業性が向上する。またその際、被覆電線の被覆を延長部の端縁に当接させて、被覆電線の位置決めを行うことができるので作業性は一層よくなる。さらに、電線接続時に、電線の被覆部分が、開放端部内に誤って侵入した状態で接続されていれば、この延長部を目視することによって、その不良を容易に発見できる。換言すると、正しい接続状態を延長部上の電線を目視することにより容易に確認できる。
【００２３】
【発明の実施の形態】
以下、本発明の電線接続子（以下、単に接続子という）の好ましい実施の形態について、添付図面を参照して詳細に説明する。図１は、接続子１をキャリヤストリップ２の一部と共に示す平面図、図２は接続子１の正面図、図３は、接続子１をキャリヤストリップ２の一部と共に示す側面図、図４は、接続子１の展開図を夫々示す。以下、図１から図４を参照して説明する。
【００２４】
最初に図４を参照して説明する。接続子１は、燐青銅板等の塑性変形が可能な１枚の金属板から打ち抜かれた外形が略矩形の板部材４から構成される。この板部材４の寸法は、例えば、約７ｍｍ×１．８ｍｍと極めて小さい。板部材４は、その長手方向に延びる中心線Ｘ上の一方の端縁６に矩形の突片８が板部材４と一体に突設されている。また、他方の端縁１０の中心線Ｘ上には、突片８より幅広の略矩形の切欠き１２が形成されている。また、板部材４には、中心線Ｘに沿って延びる１対のスロット１４が打ち抜きにより形成されている。これらのスロット１４は、中心線Ｘと直交する他の中心線Ｙの両側に線対称に形成されている。
【００２５】
スロット１４は、中心線Ｙ近傍に位置する内側部分が狭幅部１４ａとなっており、端縁６、１０近傍の外側部分が幅広部１４ｂとなっている。狭幅部１４ａと幅広部１４ｂを連結する中間部分は、傾斜した過渡部１４ｃとなっている。スロット１４の寸法は、例えば、幅広部１４ｂと狭幅部１４ａの、中心線Ｙ方向の幅が夫々０．６ｍｍおよび０．３ｍｍとされる。これらのスロット１４には、電線Ｗ４即ちジュメット(dumet)線（図５）が挿入されるが、電線Ｗ４の接続態様については後述する。
【００２６】
引き続き図４を参照して説明する。このように打ち抜き形成された板部材４を、中央部分２０の両側に端縁１０が端縁６の上に重なるようにして湾曲させて折り曲げ、閉鎖環を形成する。そのとき、突片８が切欠き１２近傍の幅広部１４ｂに進入する。幅広部１４ｂに挿入された突片８は、図２に最もよく示すように上方に僅かに湾曲されて、スロット１４から抜け出ないようにスロット１４と係合する。
【００２７】
閉鎖環の両端には開放端部５，７（図１、図２、図３）が形成される。そして、板部材４の突片８が形成されている端部１６および切欠き１２が形成されている端部１８は、オーバーラップされるとともに平面状の合わせ部分（上壁）１７が形成される（図２、図３）。そして、この合わせ部分１７に対向する壁面となる中央部分２０は、図２に最もよく示すように、合わせ部分１７に平行な平面に形成される。
【００２８】
そして、図３に最もよく示すように、スロット１４は、閉鎖環の各側壁２１に中央部分２０と合わせ部分１７との間に延びるように形成されている。そして、この各側壁２１に、その中間部２２が互いに接近するように閉鎖環を内方に突出させて、略対称形状の凹み２１ａが形成される。これによって、接続子１を正面から見ると、「Σ」或いは「３」を互いに向き合わせて一体に形成した形状に類似したものとなる。このようにして形成された接続子１が図１から図３に示されている。なお、凹み２１ａを外方に突出させて閉鎖環を略六角形にすることも考えられるが、接続子の圧縮後、接続子の投影面積が増大する。このため、凹み２１ａを内方に突出させるのが圧縮後の接続子の小型化には有利である。
【００２９】
凹み２１ａが形成された中間部２２は、比較的低い加締力で変形するので、図示しないプライヤ、手動プレス等の手動工具でも容易に加締めることができる。また、加締時の衝撃力も少ないので、被加締部材の電線にかかる衝撃力も小さいものとなる。従って、蛍光ガラス管等の被加締部材が壊れやすいものであっても、この接続子１を使用することができる。なお、接続子１とキャリヤ２との連結部２３（図１、図３）には、切断線２４（図１）に沿ってノッチ２６（図３）が形成されている。接続子１は、このノッチ２６の部分で切断されてキャリヤ２から切り離される。
【００３０】
このようにして形成された接続子１は、極めて小型であり、高さ、幅、奥行きの各寸法を２ｍｍ内に納めることができる。この接続子１により電線を相互接続するには、開放端部５、７を通る、閉鎖環の軸線Ｃ方向から  複数の裸電線を挿入して接続子１を加締めることにより行うことができる。例えば、図２に示すように、仮想線で示す接続したい電線Ｗ１およびＷ２を接続子１の中間部２２の上下の領域２８、３０に挿通する。そして、接続子１の上下、即ち合わせ部分１７および底壁となる中央部分２０の両方からプライヤ等の図示しない工具により力Ｆで加締めて中間部２２の凹み２１ａを変形させる。合わせ部分１７と中央部分２０は平行な平面であるので、簡単な工具でも容易に且つ正確に接続子１を圧着できる。これにより、電線Ｗ１およびＷ２を固定するとともにそれらを互いに接触させて電気的に接続することができる。従来の圧着端子は、圧着後形状の制限により適用電線径の範囲が狭かったが、本発明の接続子１によれば、従来の圧着端子の電線径範囲よりも広い範囲の電線に適用できる。
【００３１】
図２に示す電線Ｗ１、およびＷ２は、開放端部５、７から互いに逆向きに挿入しても良いし、或いは、いずれかの側から同じ方向に挿入しても良い。また、複数の電線Ｗ１、Ｗ２のサイズによっては、これらの電線Ｗ１、Ｗ２を領域２８或いは３０のいずれかの側にのみ挿入しても良い。即ち、比較的小径の電線であれば、領域２８或いは３０のいずれかにまとめて挿入してもよい。また、電線Ｗ１、Ｗ２は、裸電線であってもよいし、圧着する部分のみ絶縁被覆を剥離した被覆電線であってもよい。
【００３２】
次に、複数の電線を十字形（クロス）に交差させて接続する場合について説明する。この接続のためには、一方の電線を領域３０に挿通し、他方の電線をスロット１４に挿通して十字形に接続する。この十字形に接続した例を図５および図６を参照して説明する。図５は、２本の電線が十字形に接続された時の接続子１の状態を示す平面図、図６は電線が接続された接続子１の状態を電線とともに示し、図６（ａ）は正面図、図６（ｂ）は、図６（ａ）のＡ−Ａ線に沿う断面図を夫々示す。
【００３３】
十字形接続（クロス接続）の場合、図５に示すように複数の細線３２を撚り合わせた電線Ｗ３を開放端部５の下部の領域３０に挿通する。そして、他の電線、例えば、蛍光管３４の電線Ｗ４をスロット１４の幅広部１４ｂに挿通する。この電線Ｗ４即ちジュメット線は、比較的硬質の被覆されていない単線であり、熱膨張係数が硬質ガラスやセラミックスと略等しく、ガラスとのなじみおよび加工性がよいという性質を有する。
【００３４】
そして、前述の実施形態の場合と同様に、接続子１の上下方向から、プライヤ等の工具により圧力を加えて加締めると、端部１６、１８が重ね合わされた合わせ部分１７と、中央部分２０とにより電線Ｗ３と電線Ｗ４が互いの方へ押圧されて接近する。さらに押圧を続けると、中間部２２の凹み２１ａが変形して潰れるとともに、電線Ｗ４は上壁１７により押圧されて、過渡部１４ｃを通過して狭幅部１４ａに圧入される（図３）。このとき電線Ｗ４にスロット１４の狭幅部１４ａのエッジが食い込む。そして、電線Ｗ３とＷ４が互いに接触するまで、押圧が続けられ、電線Ｗ３と電線Ｗ４が、互いに堅く密着し、電気的に接続されると加締が完了する。
【００３５】
このときの状態を図６（ａ）に示す。なお、図６は説明のため模式的に示すものであり、各部の寸法は図５と必ずしも比例しない。接続子１は、電線Ｗ４が電線Ｗ３に強く押圧された状態で塑性変形してその形状が維持される。電線Ｗ３と電線Ｗ４は直接接触した状態で、上壁１７と中央部分２０の間に圧着される。また、電線Ｗ４は、図６（ａ）に示すように上壁１７と広範囲に渡って接触し、且つ前述の如く、スロット１４とも接触している。電線Ｗ４と、スロット１４との接触領域は、凹み２１ａから図６（ａ）における中間部２２（重ねられた側壁２１）の両外端に至る広い領域である。従って、従来の圧接接続よりも接触領域を大きくできる。
【００３６】
このように接続子１は圧着、圧接の両方の要素を有している。また、電線Ｗ３は、図６（ｂ）に示すように、中央部分２０および中間部２２と広範囲に渡って接触している。従って両電線Ｗ３およびＷ４は、直接接触している他、接続子１を介しても電気的に接続され、その接続の信頼性が一層増大する。また、裸電線同士が直接接触するので、端子の導電性の程度に関わらず、確実に電気的接続を行うことができる。
【００３７】
なお、電線Ｗ１、Ｗ２、Ｗ３、Ｗ４は、裸電線であってもよいし、圧着或いは圧接する部分のみ絶縁被覆を剥離した被覆電線であってもよい。また、電線Ｗ３、Ｗ４は、単線、或いは、複数の細線を撚った撚線のいずれであってもよい。
【００３８】
また、本実施形態では、端部１６、１８をオーバーラップさせて合わせ部分１７を形成した。この場合、オーバーラップさせた端部１６、１８で形成される合わせ部分１７の剛性が高いので、圧縮後の接続子１が変形しにくい利点がある。この合わせ部分１７は、端部１６、１８を突き合わせて形成してもよい。
【００３９】
次に、本発明の他の実施形態の接続子について説明する。図７及び図８は、この他の実施形態の接続子５１を示し、図７（ａ）は、接続子５１の平面図、図７（ｂ）は側面図を夫々示す。また、図８（ａ）は正面図、図８（ｂ）は底面図を夫々示す。以下、図７および図８を参照して詳細に説明する。なお、説明にあたり、同じ部分については  同じ参照番号を使用する。
【００４０】
この他の実施形態の接続子５１が、先の実施形態の接続子１と異なる点は、底壁（中央部分）７０に１対のビード８６を有する点である。このビード８６は、接続子５１の軸線Ｃ（図７（ａ）、図８（ｂ））に沿って延び、且つ軸線Ｃと直交する方向に軸線Ｃから略等距離に離隔している。ビード８６の詳細については後述する。さらに、先の実施形態と異なる点は、底壁（壁面）７０に延長部を設けた点である。その他の構成は先の実施形態と同様な構成を有しているので、重複する部分は省略し、主として、相違点について説明する。
【００４１】
図７に最もよく示すように、底壁７０は、開放端部５５側に外方に延出した延長部８８を有している。この延長部８８は、キャリヤストリップ２（図１）の切断部２４と反対側に設けられている。延長部８８は、開放端部５５、５７間の寸法の約４分の１の長さだけ底壁７０から延長して突出している。延長部８８の幅即ち図７（ａ）において矢印９２方向の寸法は、底壁７０の幅と略同じであるが、延長部８８の両端は、側壁７１に沿って僅かに立ち上がった湾曲部９０となっている。この湾曲部９０は、開放端部５５に挿入される複数の心線即ち電線Ｗ３（図９）が、圧着された部分から延長部８８の矢印９２で示す幅方向（図７（ａ））に急激に折り曲げられるのを防止する。
【００４２】
また、延長部８８の端縁８８ａ（図７）は、開放端部５５の端縁と平面視で略平行になっている。電線Ｗ３が被覆電線の場合は、被覆９４を剥離して心線即ち電線Ｗ３が露出されるが、このときの被覆９４の切断端部９４ａ（図７（ａ））を電線Ｗ３の挿入時に、前述の端縁８８ａに当接させる。これにより被覆９４が、誤って接続子５１の開放端部５５内に挿入されて接続不良となるのが防止される。さらに、延長部８８があることによって、電線Ｗ３の挿入時に電線Ｗ３をこの延長部８８上に上方から載置し、次に開放端部５５に挿入することによって、挿入作業が容易になる。換言すると、開放端部５５を狙って電線Ｗ３を挿入する必要がなくなるので、作業者の負担が低減される。
【００４３】
接続子５１の側壁７１の下部には、スロット６４の両側に上下方向に延びる１対のセレーション９３が接続子５１の内面から凹むように形成されている（図７（ｂ））。このセレーション９３は、開放端部５５および／または開放端部５７から挿入される電線Ｗ３に食い込んで、電線Ｗ３が抜け出るのを防止するためのものである。
【００４４】
図８に最もよく示すように、底壁７０には、軸線Ｃに沿って延びる互いに離隔した１対のビード８６が接続子５１の内部に突出するように形成されている。この実施形態では、１対が形成されているが、ビードを分割して複数対としてもよい。電線接続時に電線Ｗ３は、通常、このビード８６、８６間に挿入されて圧着接続される。このときの接続の態様について、図９を参照して説明する。
【００４５】
図９は電線Ｗ３の接続時の態様を示し、図９（ａ）は、図６（ａ）と類似の正面図、図９（ｂ）は、図９（ａ）と同じ方向から見た断面図である。電線Ｗ３は、上壁６７と底壁７０との間に挿入されるとともに、ビード８６、８６間に配置される。しかる後、上壁６７と上壁６７と対向する壁面となる底壁７０が互いに接近するように圧縮されて、図９に示すように電線Ｗ４と電線Ｗ３が互いに密着し、電気的に相互接続される。電線Ｗ３は、ビード８６、８６間に位置するので、図９（ａ）において、接続子５１の中央部分から左右にばらけずに、中央部分に集中した状態で圧着される。換言すると１対のビード８６、８６は、電線Ｗ３をセンタリングする機能がある。
【００４６】
その結果、電線Ｗ３同士の密着性が向上するとともに、電線Ｗ４と電線Ｗ３との密着性も向上し、電気的接続の信頼性が向上する。また、仮に電線Ｗ３が、左右に広がった場合は、図９（ｂ）に示すように、例えば、右側のビード８６が電線Ｗ３に食い込むとともに、電線Ｗ３を電線Ｗ４に押圧して、電線Ｗ３と電線Ｗ４との相互接続が一層確実になされる。
【００４７】
以上の如く接続された接続子５１は、電線Ｗ３のみが延長部８８の上に位置し、被覆９４は延長部８８の外側に位置するので、結線後の電線接続状態が容易に目視により識別できる。即ち、電線Ｗ３の被覆が、延長部８８に進入している場合は、接続不良の虞があることが容易に識別できる。
【図面の簡単な説明】
【図１】本発明の電線接続子をキャリヤストリップの一部と共に示す平面図
【図２】図１に示す電線接続子の正面図
【図３】図１の電線接続子をキャリヤストリップの一部と共に示す側面図
【図４】図１に示す電線接続子の展開図
【図５】２本の電線を本発明の電線接続子によって十字形に接続した場合の状態を示す平面図
【図６】２本の電線が接続された図５の電線接続子の状態を電線とともに示し、（ａ）は正面図、（ｂ）は、（ａ）のＡ−Ａ線に沿う断面図
【図７】他の実施形態の電線接続子を示し、（ａ）は平面図、（ｂ）は側面図を夫々示す。
【図８】図７の電線接続子を示し、（ａ）は正面図、（ｂ）は底面図を夫々示す
【図９】電線の接続時の態様を示し、（ａ）は、図６（ａ）と類似の正面図、（ｂ）は、図９（ａ）と同じ方向から見た断面図を示す。
【符号の説明】
１、５１    電線接続子
５、７、５５、５７    開放端部
１４、６４    スロット
１４ａ    狭幅部
１４ｂ    幅広部
１４ｃ    過渡部
１７、６７    合わせ部分（上壁）
２０、７０    中央部分（対向する壁面）
２１ａ    凹み
Ｃ    軸線
Ｗ１、Ｗ２、Ｗ３、Ｗ４    電線
【図１】
0003904206.tif 000002
【図２】
0003904206.tif 000003
【図３】
0003904206.tif 000004
【図４】
0003904206.tif 000005
【図５】
0003904206.tif 000006
【図６】
0003904206.tif 000007
【図７】
0003904206.tif 000008
【図８】
0003904206.tif 000009
【図９】
0003904206.tif 000010